【事件の表示】
　商願２００７−４５２８８拒絶査定不服審判事件について、次のとおり審決する。
【結　論】
　原査定を取り消す。
　本願商標は、登録すべきものとする。
【理　由】
１　本願商標
　本願商標は、別掲１のとおりの構成からなり、第３５類に属する願書記載のとおりの役務を指定役務として、平成１９年５月８日に登録出願されたものであるが、その指定役務については、原審における同２０年８月１２日及び当審における同２２年９月１７日付け手続補正書により、別掲２のとおり補正されたものである。
　
２　原査定の拒絶の理由の要点
　原査定において、本願商標が商標法第４条第１項第１１号に該当するとして、本願の拒絶理由に引用した登録商標は、以下の（１）ないし（１３）のとおりであり、いずれも、現に有効に存続しているものである。　
（１）登録第１２１５０１０号商標（以下「引用商標１」という。）は、別掲３のとおりの構成からなり、昭和４９年６月１４日登録出願、第１０類に属する商標登録原簿に記載のとおりの商品を指定商品として、同５１年８月１９日に設定登録され、その後、２回にわたり商標権の存続期間の更新登録がなされ、さらに、平成１８年５月３１日に指定商品を第１類「写真材料」、第５類「医療用腕環」、第９類「理化学機械器具，光学機械器具，写真機械器具，映画機械器具，測定機械器具」、第１０類「医療用機械器具」及び第１２類「車いす」とする指定商品の書換登録がなされたものである。
（２）登録第２０４１１１２号商標（以下「引用商標２」という。）は、「キッズ」の片仮名を横書きしてなり、昭和５７年１０月２１日登録出願、第４類に属する商標登録原簿に記載のとおりの商品を指定商品として、同６３年４月２６日に設定登録され、その後、２回にわたり商標権の存続期間の更新登録がなされ、さらに、平成２１年１月７日に指定商品を第３類「せっけん類，歯磨き，化粧品，植物性天然香料，動物性天然香料，合成香料，調合香料，精油からなる食品香料，薫料」とする指定商品の書換登録がなされたものである。
（３）登録第２０９８５６５号商標（以下「引用商標３」という。）は、「キッズ」の片仮名を横書きしてなり、昭和６１年１２月２４日登録出願、第３２類に属する商標登録原簿に記載のとおりの商品を指定商品として、同６３年１１月３０日に設定登録され、その後、２回にわたり商標権の存続期間の更新登録がなされ、さらに、平成２１年４月１５日に指定商品を第２９類「食肉，卵，食用魚介類（生きているものを除く。），冷凍野菜，冷凍果実，肉製品，加工水産物，加工野菜及び加工果実，油揚げ，凍り豆腐，こんにゃく，豆乳，豆腐，納豆，加工卵，カレー・シチュー又はスープのもと，お茶漬けのり，ふりかけ，なめ物，肉又は肉製品を主材とする惣菜，野菜又は野菜の加工品を主材とする惣菜」及び第３０類「コーヒー豆，穀物の加工品，アーモンドペースト，ぎょうざ，サンドイッチ，しゅうまい，すし，たこ焼き，肉まんじゅう，ハンバーガー，ピザ，べんとう，ホットドッグ，ミートパイ，ラビオリ，イーストパウダー，こうじ，酵母，ベーキングパウダー，即席菓子のもと，酒かす」とする指定商品の書換登録がなされたものである。
（４）登録第２３０９０１５号商標（以下「引用商標４」という。）は、「ＫＩＤＳ」の欧文字を横書きしてなり、昭和５９年９月１０日登録出願、第１０類に属する商標登録原簿に記載のとおりの商品を指定商品として、平成３年５月３１日に設定登録され、その後、同１３年１月９日に商標権の存続期間の更新登録がなされ、さらに、同年９月５日に指定商品を第１類「写真材料」、第５類「医療用腕環」、第９類「理化学機械器具，光学機械器具，写真機械器具，映画機械器具，測定機械器具」、第１０類「医療用機械器具」及び第１２類「車いす」とする指定商品の書換登録がなされたものである。
（５）登録第２４６３６４７号商標（以下「引用商標５」という。）は、「ＫＩＤ Ｓ」の欧文字と「キッズ」の片仮名を上下二段に横書きしてなり、平成元年５月１８日登録出願、第４類に属する商標登録原簿に記載のとおりの商品を指定商品として、同４年１０月３０日に設定登録され、その後、同１４年１０月２２日に商標権の存続期間の更新登録がなされ、さらに、同年１１月６日に指定商品を第３類「せっけん類，歯磨き，化粧品，薫料」とする指定商品の書換登録がなされたものである。
（６）登録第３３３６１４７号商標（以下「引用商標６」という。）は、「ＫＩＤＳ」の欧文字と「キッズ」の片仮名を上下二段に横書きしてなり、平成７年２月２３日登録出願、第３０類「菓子及びパン」を指定商品として、同９年８月１日に設定登録され、その後、同１９年４月１０日に商標権の存続期間の更新登録がなされたものである。
（７）登録第４１２５１９２号商標（以下「引用商標７」という。）は、別掲４のとおりの構成からなり、平成８年３月６日登録出願、第２８類「遊戯用器具，ビリヤード用具，囲碁用具，将棋用具，さいころ，すごろく，ダイスカップ，ダイヤモンドゲーム，チェス用具，チェッカー用具，手品用具，ドミノ用具，マージャン用具，おもちゃ，人形」を指定商品として、同１０年３月２０日に設定登録され、その後、同２０年２月２６日に商標権の存続期間の更新登録がなされたものである。
（８）登録第４１４８１４２号商標（以下「引用商標８」という。）は、別掲５のとおりの構成からなり、平成７年２月８日登録出願、第５類「医療用油紙，衛生マスク，オブラート，ガーゼ，カプセル，耳帯，眼帯，生理帯，生理用タンポン，生理用ナプキン，生理用パンティ，脱脂綿，ばんそうこう，包帯，包帯液」を指定商品として、同１０年５月２２日に設定登録され、その後、同２０年５月７日に商標権の存続期間の更新登録がなされたものである。
（９）登録第４４２４０１４号商標（以下「引用商標９」という。）は、「キッズ」の片仮名と「ＫＩＤ’Ｓ」の欧文字を上下二段に横書きしてなり、平成１１年１１月１１日登録出願、第１類「肥料」を指定商品として、同１２年１０月１３日に設定登録されたものである。
（１０）登録第４４３６７５２号商標（以下「引用商標１０」という。）は、別掲６のとおりの構成からなり、平成１１年１１月８日登録出願、第１２類「自動車並びにその部品及び付属品」を指定商品として、同１２年１２月１日に設定登録されたものである。
（１１）登録第４６５３１５５号商標（以下「引用商標１１」という。）は、別掲７のとおりの構成からなり、平成１４年７月９日登録出願、第９類「コンピュータネットワークを通じて提供される子供向け雑誌その他の電子出版物」及び第１６類「子供向け雑誌，定期刊行物，その他の印刷物」を指定商品として、同１５年３月１４日に設定登録されたものである。
（１２）登録第４７９２５５５号商標（以下「引用商標１２」という。）は、別掲８のとおりの構成からなり、平成１２年８月３日登録出願、第１２類「自動車並びにその部品及び附属品」を指定商品として、同１６年８月６日に設定登録されたものである。
（１３）登録第４９３８０８５号商標（以下「引用商標１３」という。）は、「ｋｉｄＳ」の欧文字と「ＧＬＯＢＡＬ　ＷＯＲＫ」の欧文字を上下二段に横書きしてなり、平成１７年８月１１日登録出願、第２５類「子供用被服，子供用ガーター，子供用靴下止め，子供用ズボンつり，子供用バンド，子供用ベルト，子供用履物，子供用仮装用衣服，子供用運動用特殊衣服，子供用運動用特殊靴」を指定商品として、同１８年３月１７日に設定登録されたものである。
　以下、これらをまとめていうときは「引用商標」という。
　
３　当審の判断
　本願商標は、別掲１のとおり、文字の大きさに合わせて大きさの異なる４色（左から順に赤色、青色、橙色、黄緑色）の隣接した正方形内に、「Ｋ」「ｉ」「ｄ」「ｓ」の欧文字を白抜きにして表してなるところ、「Ｋｉｄｓ」の欧文字は、「子供、子供たち」等の意味を有す語として我が国では広く親しまれた英語であり、商取引においては商品が「子供用」であることを表すために広く使用されているところである。
　そうすると、本願商標は、その構成中、「Ｋｉｄｓ」の文字部分は、本願商標の指定役務との関係にあっては、「子供用の商品を取り扱う店」程の意味合いを容易に理解するというのが自然であって、これに接する取引者、需要者をして、単に役務の質、用途を表示したものと理解するにとどまり、自他役務識別標識としての機能を果たし得ないといわなければならず、本願商標からは、「キッズ」の称呼及び「子供たち」の観念を生ずるものとはいうことができない。
　してみれば、本願商標より「キッズ」の称呼及び「子供たち」の観念を生ずると認定し、そのうえで、本願商標と引用商標とが称呼上及び観念上類似するものとして、本願商標を商標法第４条第１項第１１号に該当するとした原査定は、妥当でなく、取消しを免れない。
　その他、政令で定める期間内に本願について拒絶の理由を発見しない。
　よって、結論のとおり審決する。